(57)【要約】【課題】役物ベルトが循環回転を繰り返している内に、フィルムに不規則な伸びやしわが発生し、絵柄表示を正しく行うことができなくなるという欠点を解消することを課題とする。【解決手段】遊技用役物ベルト１は、遊技用絵柄２１が描かれたエンドレスの合成樹脂製フィルム体２とフィルム体２の幅方向両側に設けられた熱可塑性樹脂弾性体製の駆動用歯列体３からなり、駆動用歯列体３は、複数の歯３３からなる駆動用歯列部３２とこれらを支持する基部３１を備えている。【選択図】        図１
2004267591.tif 000002
【特許請求の範囲】
【請求項１】
遊技用絵柄が描かれたエンドレスの合成樹脂製フィルム体、及び、
このフィルム体の幅方向両側に設けられた熱可塑性樹脂弾性体製の駆動用歯列体、
からなることを特徴とする遊技用役物ベルト。
【請求項２】
請求項１に記載された遊技用役物ベルトにおいて、
上記駆動用歯列体は、複数の歯からなる駆動用歯列部とこれらを支持する基部からなること
を特徴とする遊技用役物ベルト。
【請求項３】
請求項２に記載された遊技用役物ベルトにおいて、
上記フィルム体は駆動用歯列体の中立面近傍でこれに固定されていること
を特徴とする遊技用役物ベルト。
【請求項４】
請求項１から請求項３までのいずれかに記載された遊技用役物ベルトにおいて、
上記フィルム体は、光透過性を有すること
を特徴とする遊技用役物ベルト。
【請求項５】
請求項１から請求項４までのいずれかに記載された遊技用役物ベルトにおいて、
上記フィルム体の合成樹脂は、ポリカーボネートであること
を特徴とする遊技用役物ベルト。
【請求項６】
請求項１から請求項５までのいずれかに記載された遊技用役物ベルトにおいて、
上記駆動用歯列体の熱可塑性樹脂弾性体の材料は、ポリウレタン、ポリエステル及びポリアミドの内のいずれかから選択されたものであること
を特徴とする遊技用役物ベルト。
【請求項７】
請求項１から請求項６までのいずれかに記載された遊技用役物ベルトにおいて、
上記駆動用歯列体はインサート成形によって上記フィルム体に形成されたものであること
を特徴とする遊技用役物ベルト。
【請求項８】
請求項１から請求項６までのいずれかに記載された遊技用役物ベルトにおいて、
上記駆動用歯列体は、上記フィルム体に熱融着されたものであること
を特徴とする遊技用役物ベルト。
【発明の詳細な説明】
【０００１】
【発明の属する技術分野】
本発明は、パチンコ機、スロットマシン等の遊技機に使用される役物ベルトに関する。
【０００２】
【従来の技術】
スロットマシンは、外周に多数の絵柄を配置した円筒形のドラムを回転させ、これを停止させたときに表示される絵柄の並びによってゲーム進行が行われるゲーム機である。このため、スロットマシンには円筒形のドラムが組み込まれている。スロットマシン全体の奥行きはこのドラムの直径に依存するため、ドラムを使用する以上、ドラム直径以下に少なく（薄く）することができなかった。この奥行きのため、スロットマシンを遊技場に設置する場合には、パチンコ機のように多くを配置することが困難であり、設置面積の上からスロットマシンは効率がよいとは言えなかった。このような問題に対処するために、ドラムにかえて役物ベルト、つまり絵柄が描かれたエンドレスベルト、を使用することが提案されている（特許文献１）。この役物ベルトは２つのプーリに掛け渡され、少なくとも一方のプーリを回転駆動して役物ベルトを循環回転（及び停止）させる。これによって従来のスロットマシンと同様に絵柄の並びを変化させてゲーム進行を行わせるようにしたものである。
【０００３】
【特許文献１】
特開平０７−２８９７０６号公報
【特許文献２】
特開２００２−３６０８３７号公報
【特許文献３】
特開２００２−１６５９１９号公報
【特許文献４】
特開平７−２４１３６４号公報
【０００４】
【発明が解決しようとする課題】
上記役物ベルトは、薄いフィルムの端縁を接合しエンドレス状にしたものである。このため、役物ベルトとして循環回転を繰り返している内に、フィルムに不規則な伸びやしわが発生し、絵柄表示を正しく行うことができなくなるという欠点がある。また、ベルトを掛け渡している２つのローラが平行でない場合、ローラの直径に偏りがある場合、あるいはフィルムの厚さに偏りがある場合等には、それが僅かであっても、一方向に回転を続ける間にベルトが一方の幅方向に寄るように移動する。このため、正しい位置で絵柄表示を行うことができなくなるという問題がある。更に、薄いフィルムを直接駆動するため寿命が短い等の問題もある。
【０００５】
本発明は、このような実状を鑑みてなされたものであり、役物ベルトにかかる上記問題を解決することを課題とする。
【０００６】
【課題を解決するための手段】
上記課題は以下の手段によって解決される。すなわち、第１番目の発明の解決手段は、遊技用絵柄が描かれたエンドレスの合成樹脂製フィルム体、及び、このフィルム体の幅方向両側に設けられた熱可塑性樹脂弾性体製の駆動用歯列体、からなることを特徴とする遊技用役物ベルトである。
【０００７】
第２番目の発明の解決手段は、第１番目の発明の遊技用役物ベルトにおいて、上記駆動用歯列体が、複数の歯からなる駆動用歯列部とこれらを支持する基部からなることを特徴とする遊技用役物ベルトである。
【０００８】
第３番目の発明の解決手段は、第２番目の発明の遊技用役物ベルトにおいて、上記フィルム体が駆動用歯列体の中立面近傍でこれに固定されていることを特徴とする遊技用役物ベルトである。
【０００９】
第４番目の発明の解決手段は、第１番目から第３番目までの発明の遊技用役物ベルトにおいて、上記フィルム体が、光透過性を有することを特徴とする遊技用役物ベルトである。
【００１０】
第５番目の発明の解決手段は、第１番目から第４番目までの発明の遊技用役物ベルトにおいて、上記フィルム体の合成樹脂が、ポリカーボネートであることを特徴とする遊技用役物ベルトである。
【００１１】
第６番目の発明の解決手段は、第１番目から第５番目までの発明の遊技用役物ベルトにおいて、上記駆動用歯列体の熱可塑性樹脂弾性体の材料が、ポリウレタン、ポリエステル及びポリアミドの内のいずれかから選択されたものであることを特徴とする遊技用役物ベルトである。
【００１２】
第７番目の発明の解決手段は、第１番目から第６番目までの発明の遊技用役物ベルトにおいて、上記駆動用歯列体がインサート成形によって上記フィルム体に形成されたものであることを特徴とする遊技用役物ベルトである。
【００１３】
第８番目の発明の解決手段は、第１番目から第６番目までの発明の遊技用役物ベルトにおいて、上記駆動用歯列体が、上記フィルム体に熱融着されたものであることを特徴とする遊技用役物ベルトである。
【００１４】
【発明の実施の形態】
図１は、本発明の実施形態にかかる遊技用役物ベルト１の斜視図である。図２は、駆動ロール体４とこれに掛け渡された遊技用役物ベルト１の部分断面図である。図３は遊技用役物ベルト１の拡大側面図である。遊技用役物ベルト１は、合成樹脂製のフィルム体２と駆動用歯列体３から構成されている。
【００１５】
このフィルム体２は光透過性を有するエンドレスの帯状体であって、遊技用絵柄２１が描かれている。遊技用絵柄２１はフィルム体２の表（外側）又は裏（内側）の面、あるいはこれが多層化されたフィルムである場合には層間の面、に描くことができる。ただし、照明を前面から行う場合、遊技用絵柄２１は表（外側）に描かれている必要があるが、この場合にはフィルム体２に光透過性をもたせる必要はない。
【００１６】
駆動用歯列体３は、フィルム体２の幅方向両側に設けられた熱可塑性樹脂弾性体製であり、基部３１とその歯３３を内側に向けた歯列部３２が形成されている。
【００１７】
駆動ロール体４及び従動ロール体５は、遊技用役物ベルト１を掛け渡して適度な張力を与えて支持するとともにこれを循環的に回転させる。駆動ロール体４及び従動ロール体５は中央側の背面支持用円筒部４１、５１とこれと同軸であってその両側に設けられたスプロケットホィール６から構成されている。スプロケットホィール６のホィール歯６１は駆動用歯列体３の歯３３と噛み合い係合するための歯形とピッチを有している。
【００１８】
駆動ロール体４は不図示の駆動源から駆動力を受けて回転するのに対し、従動ロール体５は遊技用役物ベルト１の回転によって従動的に回転する点を除いて、両部材は実質的に同じものを用いることができる。もちろん、上記２つのロール体をともに同期をとって駆動するようにすることも可能である。また、駆動ロール体４と従動ロール体５を（したがって各スプロケットホィール６についても）異なる径とし、周速が同じになるようなそれぞれの回転速度で駆動することも可能である。
【００１９】
背面支持用円筒部４１、５１は、フィルム体２が湾曲したときにしわが発生しないようにするため背面から軽く支持する補助的なものであるから、場合により背面支持用円筒部４１、５１を設けないようにすることも可能である。
【００２０】
上記フィルム体２は、繰り返しの曲げに対して充分に強度を有するとともに光透過性（ただし、透過光を使用する場合）をもつ必要があるが、適度の合成樹脂例えばポリカーボネート樹脂が好適である。
【００２１】
また、上記駆動用歯列体３は、弾性を有する熱可塑性樹脂を材料とすることが好ましく、特にポリウレタン、ポリエステル及びポリアミドの内のいずれかから選択することが価格、強度、製造上の観点から好適である。
【００２２】
図４は、別の実施態様であって、図２と同様に、駆動ロール体４とこれに掛け渡された遊技用役物ベルト１の部分断面図である。この例では、フィルム体２が駆動用歯列体３の中間部に入り込む形でこれに固定されている。駆動用歯列体３は駆動力を受けるためフィルム体２に比べて相当に厚く作られている。
【００２３】
一般に、厚さのある弾性体に曲げ応力を与えたとき、曲げの内側では圧縮応力が、また、外側では引っ張り応力が生じる。そして、その中間部には、圧縮応力も引っ張り応力も生じない中立の領域（中立面）が存在する。
【００２４】
最初に示した実施態様においては、フィルム体２が駆動用歯列体３の外側に設けられている。このため、循環回転する遊技用役物ベルト１が駆動ロール体４に係合するとき、駆動用歯列体３には曲げが生じ、その外側の面には引っ張り応力が生じる。フィルム体２はこの外側面で接合されているため、これに引っ張られることになる。一方、直線部に入ると引っ張りが解消される。
【００２５】
このような引っ張り応力とその開放がフィルム体２に繰り返し加えられるため、フィルム体２が劣化しやすく、また、これを原因としてしわが発生するおそれがある。この実施形態では、フィルム体２は上記中立面Ｎの位置かその近傍で駆動用歯列体３に固定されている。中立面Ｎは基部３１の厚さのほぼ中心近傍に位置する。フィルム体２が中立面Ｎの位置で固定されているため、曲げによる引っ張り（また、その開放）は生じない。したがって、この構造をとることによってフィルム体２の劣化あるいはしわを防止することができる。
【００２６】
なお、遊技用役物ベルト１には一定のテンションがかけられるので、真の中立位置は厚さ方向に偏倚するが、この影響で生じる応力は一定であるため、フィルム体２の繰り返しから来る上記問題は生じない。
【００２７】
フィルム体２と駆動用歯列体３とは接着剤あるいは熱融着を使用して接合することができる。予め所定寸法に裁断した材料フィルムの両側において所定寸法の駆動歯列体の材料（非エンドレス）を接着剤にて貼り付け、あるいは熱融着し、その後、この両端を接合してエンドレス状態にする。更に、予め裁断したフィルム材料とともにインサート成型することが可能である。このインサート成型は、特に２番目の実施形態に示した遊技用役物ベルト１を製造する場合、特に有効である。
【００２８】
以上に示した実施形態の遊技用役物ベルト１によれば、フィルム体２は駆動用歯列体３を駆動することによって、循環回転するので、循環回転する内にフィルムに不規則な伸びやしわが発生し、絵柄表示を正しく行うことができなくなるという問題がなくなるという効果を奏する。また、駆動用歯列体３によって、遊技用役物ベルト１の動きが規制されているため、遊技用役物ベルト１が一方の幅方向に寄るように移動する問題も生じないという効果を奏する。中立面Ｎでフィルム体２を駆動用歯列体３に接合した場合、更に、フィルム体に引っ張りと開放を繰り返し与えることがないためこれを原因としてしわが発生することがないという効果を奏する。更に、薄いフィルムを直接駆動するための寿命の短命化の問題も抑制されるという効果を奏する。
【００２９】
【発明の効果】
本発明の遊技用役物ベルトによれば、フィルム体は駆動用歯列体を駆動することによって、循環回転するので、循環回転する内にフィルムに不規則な伸びやしわが発生し、絵柄表示を正しく行うことができなくなるという問題がなくなるという効果を奏する。また、駆動用歯列体によって、遊技用役物ベルトの動きが規制されているため、遊技用役物ベルトが一方の幅方向に寄るように移動する問題も生じないという効果を奏する。中立面でフィルム体を駆動用歯列体に接合した場合、更に、フィルム体に引っ張りと開放を繰り返し与えることがないためこれを原因としてしわが発生することがないという効果を奏する。更に、薄いフィルムを直接駆動するための寿命の短命化の問題も抑制されるという効果を奏する。
【図面の簡単な説明】
【図１】本発明の実施形態にかかる遊技用役物ベルト１の斜視図である。
【図２】駆動ロール体４とこれに掛け渡された遊技用役物ベルト１の部分断面図である。
【図３】遊技用役物ベルト１の拡大側面図である。
【図４】別の実施形態の遊技用役物ベルト１に係り、駆動ロール４とこれに掛け渡された遊技用役物ベルト１の部分断面図である。
【符号の説明】
１  遊技用役物ベルト
２  フィルム体
２１  遊技用絵柄
３  駆動用歯列体
３１  基部
３２  歯列部
３３  歯
４  駆動ロール体
４１  背面支持用円筒部
５  従動ロール体
５１  背面支持用円筒部
６  スプロケットホィール
６１  ホィール歯
Ｎ  中立面
【図１】
2004267591.tif 000003
【図２】
2004267591.tif 000004
【図３】
2004267591.tif 000005
【図４】
2004267591.tif 000006